(57)【要約】【課題】振動によることなく高い解像度の高画質画像を表示可能とする表示装置等を提供する。【解決手段】照明光を照射する照明部３１と、照明部３１を冷却する冷却部３６や照明部３１からの照明光を各色の面順次光に変換するカラーホイール３２などの振動源と、複数の画素を配列して構成される透過型ＬＣＤ４と、透過型ＬＣＤ４からの光線を時系列的に巡回させて画素シフトを行う液晶セル５ａ，５ｂおよび複屈折板６ａ，６ｂを含む画素シフト素子と、透過型ＬＣＤ４から画素シフト素子を経て投射される画像を投影する投影レンズ７と、振動源からの振動に対して透過型ＬＣＤ４と画素シフト素子と投影レンズ７とを一体的となるように保持するモジュール筐体１１Ｂと、を有するモジュールと、を備えた表示装置。【選択図】図２０
2007248894.tif 000002
【特許請求の範囲】
【請求項１】
複数の画素を配列して構成される表示デバイスと、
振動に対して上記表示デバイスと一体的となるように構成され、該表示デバイスからの光線を時系列的に巡回させて画素シフトを行うための画素シフト素子と、
を具備したことを特徴とするモジュール。
【請求項２】
振動に対して上記表示デバイスおよび上記画素シフト素子と一体的となるように構成され、該表示デバイスから該画素シフト素子を経て投射される画像を投影するための投影レンズをさらに具備したことを特徴とする請求項１に記載のモジュール。
【請求項３】
上記表示デバイスと上記画素シフト素子とは、接着剤を介して接着されることにより、振動に対して一体的となるように構成されたものであることを特徴とする請求項１に記載のモジュール。
【請求項４】
上記表示デバイスと上記画素シフト素子と上記投影レンズとは、接着剤を介して接着されることにより、振動に対して一体的となるように構成されたものであることを特徴とする請求項２に記載のモジュール。
【請求項５】
振動に対して上記表示デバイスと上記画素シフト素子とを一体的となるように保持するためのモジュール筐体をさらに具備したことを特徴とする請求項１に記載のモジュール。
【請求項６】
振動に対して上記表示デバイスと上記画素シフト素子と上記投影レンズとを一体的となるように保持するためのモジュール筐体をさらに具備したことを特徴とする請求項２に記載のモジュール。
【請求項７】
複数の画素を配列して構成される表示デバイスと、振動に対して上記表示デバイスと一体的となるように構成され該表示デバイスからの光線を時系列的に巡回させて画素シフトを行うための画素シフト素子と、を有するモジュールと、
上記表示デバイスから上記画素シフト素子を経て投射される画像を投影するための投影レンズと、
を具備したことを特徴とする表示装置。
【請求項８】
上記投影レンズは、振動に対して上記表示デバイスおよび上記画素シフト素子と一体的となるように構成され、上記モジュールに含まれるものであることを特徴とする請求項７に記載の表示装置。
【請求項９】
上記モジュールは、上記表示デバイスと上記画素シフト素子とを接着剤を介して接着することにより振動に対して一体的となるように構成されたものであることを特徴とする請求項７に記載の表示装置。
【請求項１０】
上記モジュールは、上記表示デバイスと上記画素シフト素子と上記投影レンズとを接着剤を介して接着することにより振動に対して一体的となるように構成されたものであることを特徴とする請求項８に記載の表示装置。
【請求項１１】
上記モジュールは、振動に対して上記表示デバイスと上記画素シフト素子とを一体的となるように保持するためのモジュール筐体をさらに有して構成されたものであることを特徴とする請求項７に記載の表示装置。
【請求項１２】
上記モジュールは、振動に対して上記表示デバイスと上記画素シフト素子と上記投影レンズとを一体的となるように保持するためのモジュール筐体をさらに有して構成されたものであることを特徴とする請求項８に記載の表示装置。
【請求項１３】
振動源をさらに具備し、
上記モジュール筐体は、上記振動源から受けた振動に起因して、上記画素シフト素子により１回の画素シフトを行う期間である画素シフト期間内に上記表示デバイスに発生する変位の経路長が、該表示デバイスの画素ピッチ以下となるように構成されたものであることを特徴とする請求項１１または請求項１２に記載の表示装置。
【請求項１４】
上記モジュール筐体は、上記振動源から受けた振動に起因して上記モジュールに発生する振動の周波数が、上記画素シフト素子により時系列的に光線を巡回させて画素シフトを行う周波数である画素シフト周波数よりも小さくなるように、さらに構成されたものであることを特徴とする請求項１３に記載の表示装置。
【請求項１５】
上記振動源と上記モジュールとを独立した位置で保持する装置筐体をさらに具備したことを特徴とする請求項１３に記載の表示装置。
【請求項１６】
上記振動源と上記モジュールとの少なくとも一方は、防振部材を介して上記装置筐体に保持されたものであることを特徴とする請求項１５に記載の表示装置。
【請求項１７】
上記表示デバイスへ照明光を照射するための照明部と、
上記照明部を冷却するための冷却部と、
をさらに具備し、
上記振動源は上記冷却部を含むものであることを特徴とする請求項１５に記載の表示装置。
【請求項１８】
上記表示デバイスへ照明光を照射するための照明部と、
上記照明部からの照明光の内の特定色の光のみを時系列的に透過させるためのカラーホイールと、
をさらに具備し、
上記振動源は上記カラーホイールを含むものであることを特徴とする請求項１５に記載の表示装置。
【請求項１９】
上記モジュールの振動を検知するための振動検知手段と、
上記振動検知手段により検知された振動による、上記画素シフト素子により１回の画素シフトを行う期間である画素シフト期間内における、上記モジュールの変位の経路長が所定値以上であるときには、該画素シフト素子による画素シフトを停止させるように制御する制御手段と、
をさらに具備したことを特徴とする請求項７に記載の表示装置。
【発明の詳細な説明】
【技術分野】
【０００１】
本発明は、表示デバイスと画素シフト素子とを備えるモジュール、表示装置に関する。
【背景技術】
【０００２】
画像表示装置の解像度をより高める要求が高まっている中で、画像表示装置内に配設された表示デバイスの解像度よりも高い解像度を得る技術として、いわゆるウォブリング技術が研究されている。
【０００３】
このウォブリング技術は、表示デバイスの各画素の表示面上における像位置を、時系列的に巡回的に順次異ならせることにより、人間が感知する視覚上の解像度を高める技術（画素ずらしによる高解像度化を図る技術）である。
【０００４】
このウォブリング技術を用いた画像表示装置としては、例えば、特開２００２−２６８０１４号公報に記載のものが挙げられる。該公報に記載の技術は、表示デバイスとして反射型表示デバイスを用い、この反射型表示デバイスにより表示される画像を画素ずらしユニットによってウォブリングすることにより、高精細表示を可能とするものとなっている。さらに、該公報には、画素ずらしユニットと、偏光板と、表示デバイスと、を接着剤によって一体化させることにより、ゴーストの低減を図る技術が記載されている。
【０００５】
また、特開平７−２８０４２号公報には、ポリイミド膜または酸化シリコン斜方蒸着膜により配向膜を形成するとともに、強誘電性液晶・反強誘電性電界効果を示すスメクチック液晶を用いたウォブリング素子（ウォブリングに使用する液晶素子）が記載されている。このウォブリング素子は、加速度１０Ｇ以上を与えた後のコントラストが５０％以上を確保することができるような、耐振動性、耐衝撃性を備えたものとなっている。
【０００６】
なお、特開２００３−２７９９２４号公報には、画像表示装置に用いられる偏光手段の一例が記載されている。
【特許文献１】特開２００２−２６８０１４号公報
【特許文献２】特開平７−２８０４２号公報
【特許文献３】特開２００３−２７９９２４号公報
【発明の開示】
【発明が解決しようとする課題】
【０００７】
上述した特開２００２−２６８０１４号公報に記載のものは、ゴーストの低減を図ることを目的としたものであり、振動発生時における画素ずらしユニットと表示デバイスとの関係については説明されていない。しかしながら、振動が発生したときに、画素ずらしユニットと表示デバイスとの相対的な位置が変化すると、正常なウォブリングがなされず、高い解像度を得ることができなくなるばかりでなく、表示される画像の画質が劣化してしまう可能性がある。
【０００８】
また、上記特開平７−２８０４２号公報に記載のウォブリング素子は、該ウォブリング素子単体での耐振動性や耐衝撃性は備えているが、表示デバイスとの相対的な位置関係については記載されておらず、上述と同様に、振動発生時には正常なウォブリングがなされず、高い解像度を得ることができなくなるなるばかりでなく、表示される画像の画質が劣化してしまう可能性がある。
【０００９】
本発明は上記事情に鑑みてなされたものであり、振動によることなく高い解像度の高画質画像を表示可能とするモジュール、表示装置を提供することを目的としている。
【課題を解決するための手段】
【００１０】
上記の目的を達成するために、第１の発明によるモジュールは、複数の画素を配列して構成される表示デバイスと、振動に対して上記表示デバイスと一体的となるように構成され該表示デバイスからの光線を時系列的に巡回させて画素シフトを行うための画素シフト素子と、を具備したものである。
【００１１】
また、第２の発明によるモジュールは、上記第１の発明によるモジュールにおいて、振動に対して上記表示デバイスおよび上記画素シフト素子と一体的となるように構成され、該表示デバイスから該画素シフト素子を経て投射される画像を投影するための投影レンズをさらに具備したものである。
【００１２】
さらに、第３の発明によるモジュールは、上記第１の発明によるモジュールにおいて、上記表示デバイスと上記画素シフト素子とが、接着剤を介して接着されることにより、振動に対して一体的となるように構成されたものである。
【００１３】
第４の発明によるモジュールは、上記第２の発明によるモジュールにおいて、上記表示デバイスと上記画素シフト素子と上記投影レンズとが、接着剤を介して接着されることにより、振動に対して一体的となるように構成されたものである。
【００１４】
第５の発明によるモジュールは、上記第１の発明によるモジュールにおいて、振動に対して上記表示デバイスと上記画素シフト素子とを一体的となるように保持するためのモジュール筐体をさらに具備したものである。
【００１５】
第６の発明によるモジュールは、上記第２の発明によるモジュールにおいて、振動に対して上記表示デバイスと上記画素シフト素子と上記投影レンズとを一体的となるように保持するためのモジュール筐体をさらに具備したものである。
【００１６】
第７の発明による表示装置は、複数の画素を配列して構成される表示デバイスと、振動に対して上記表示デバイスと一体的となるように構成され該表示デバイスからの光線を時系列的に巡回させて画素シフトを行うための画素シフト素子と、を有するモジュールと、上記表示デバイスから上記画素シフト素子を経て投射される画像を投影するための投影レンズと、を具備したものである。
【００１７】
第８の発明による表示装置は、上記第７の発明による表示装置において、上記投影レンズが、振動に対して上記表示デバイスおよび上記画素シフト素子と一体的となるように構成され、上記モジュールに含まれるものである。
【００１８】
第９の発明による表示装置は、上記第７の発明による表示装置において、上記モジュールが、上記表示デバイスと上記画素シフト素子とを接着剤を介して接着することにより振動に対して一体的となるように構成されたものである。
【００１９】
第１０の発明による表示装置は、上記第８の発明による表示装置において、上記モジュールが、上記表示デバイスと上記画素シフト素子と上記投影レンズとを接着剤を介して接着することにより振動に対して一体的となるように構成されたものである。
【００２０】
第１１の発明による表示装置は、上記第７の発明による表示装置において、上記モジュールが、振動に対して上記表示デバイスと上記画素シフト素子とを一体的となるように保持するためのモジュール筐体をさらに有して構成されたものである。
【００２１】
第１２の発明による表示装置は、上記第８の発明による表示装置において、上記モジュールが、振動に対して上記表示デバイスと上記画素シフト素子と上記投影レンズとを一体的となるように保持するためのモジュール筐体をさらに有して構成されたものである。
【００２２】
第１３の発明による表示装置は、上記第１１または第１２の発明による表示装置において、振動源をさらに具備し、上記モジュール筐体は、上記振動源から受けた振動に起因して、上記画素シフト素子により１回の画素シフトを行う期間である画素シフト期間内に上記表示デバイスに発生する変位の経路長が、該表示デバイスの画素ピッチ以下となるように構成されたものである。
【００２３】
第１４の発明による表示装置は、上記第１３の発明による表示装置において、上記モジュール筐体が、上記振動源から受けた振動に起因して上記モジュールに発生する振動の周波数が、上記画素シフト素子により時系列的に光線を巡回させて画素シフトを行う周波数である画素シフト周波数よりも小さくなるように、さらに構成されたものである。
【００２４】
第１５の発明による表示装置は、上記第１３の発明による表示装置において、上記振動源と上記モジュールとを独立した位置で保持する装置筐体をさらに具備したものである。
【００２５】
第１６の発明による表示装置は、上記第１５の発明による表示装置において、上記振動源と上記モジュールとの少なくとも一方が、防振部材を介して上記装置筐体に保持されたものである。
【００２６】
第１７の発明による表示装置は、上記第１５の発明による表示装置において、上記表示デバイスへ照明光を照射するための照明部と、上記照明部を冷却するための冷却部と、をさらに具備し、上記振動源は上記冷却部を含むものである。
【００２７】
第１８の発明による表示装置は、上記第１５の発明による表示装置において、上記表示デバイスへ照明光を照射するための照明部と、上記照明部からの照明光の内の特定色の光のみを時系列的に透過させるためのカラーホイールと、をさらに具備し、上記振動源は上記カラーホイールを含むものである。
【００２８】
第１９の発明による表示装置は、上記第７の発明による表示装置において、上記モジュールの振動を検知するための振動検知手段と、上記振動検知手段により検知された振動による上記画素シフト素子により１回の画素シフトを行う期間である画素シフト期間内における上記モジュールの変位の経路長が所定値以上であるときには該画素シフト素子による画素シフトを停止させるように制御する制御手段と、をさらに具備したものである。
【発明の効果】
【００２９】
本発明のモジュール、表示装置によれば、振動によることなく、高い解像度の高画質画像を表示可能とすることができる。
【発明を実施するための最良の形態】
【００３０】
以下、図面を参照して本発明の実施の形態を説明する。
【００３１】
［実施形態１］
図１から図２４は本発明の実施形態１を示したものであり、図１は接着剤を用いたモジュールの基本構成例を示す図、図２は接着剤を用いたモジュールの第１の構成例を示す図、図３は接着剤を用いたモジュールの第１の構成例の変形例を示す図、図４は接着剤を用いたモジュールの第２の構成例を示す図、図５は接着剤を用いたモジュールの第２の構成例の変形例を示す図である。
【００３２】
図１に示す基本構成例のモジュールは、表示デバイス１と、この表示デバイス１からの光線を時系列的に巡回させてシフトするための画素シフト素子２とを、接着剤３を介して接着することにより、振動に対して一体的となるように構成したものとなっている。これにより、このモジュールの外側から振動が該モジュールに加わった際にも、表示デバイス１の変位ベクトルと画素シフト素子２の変位ベクトルとがほぼ同じとなり、略同一の振動周波数で変位する。こうして、表示デバイス１と画素シフト素子２との相対的な位置はほぼ一定に保たれるために、画素シフトによる高精細な画像表示を、画質の劣化を伴うことなく行うことができる。
【００３３】
次に、図２に示す第１の構成例のモジュールは、表示デバイス１として透過型ＬＣＤ４を使用するとともに、画素シフト素子２として液晶セル５と複屈折板６とを組み合わせたものを使用し、これらを接着剤３によって互いに接着することにより、振動に対して一体的となるように構成したものとなっている。
【００３４】
さらに、図３に示す第１の構成例の変形例のモジュールは、図２に示した構成に、投影レンズ７を加えたものとなっている。すなわち、このモジュールは、透過型ＬＣＤ４と、液晶セル５と、複屈折板６と、投影レンズ７と、をこの順序で互いに接着剤３を介して接着することにより、振動に対して一体的となるように構成したものとなっている。このような構成により、外部からの振動に対する表示デバイス１（透過型ＬＣＤ４）の変位ベクトルと画素シフト素子２（液晶セル５および複屈折板６）の変位ベクトルと投影レンズ７の変位ベクトルとがほぼ同じとなり、略同一の振動周波数で変位することになる。従って、より確実に、画素シフトによる高精細な画像表示を画質の劣化を伴うことなく行うことができる。
【００３５】
続いて、図４に示す第２の構成例のモジュールは、表示デバイス１として反射型ＬＣＯＳ（Liquid Crystal On Silicon）（反射型表示デバイスの一つ）８を使用するとともに、画素シフト素子２として液晶セル５と複屈折板６とを使用し、これらを接着剤３を介して接着することにより、振動に対して一体的となるように構成したものとなっている。より詳しくは、偏光ビームスプリッタ（ＰＢＳ）９の一面側に反射型ＬＣＯＳ８を接着剤３により接着し、偏光ビームスプリッタ（ＰＢＳ）９の他面側に液晶セル５を接着剤３により接着し、さらにこの液晶セル５に対して複屈折板６を接着剤３により接着することによって、表示デバイス１と画素シフト素子２とを一体型として構成している。
【００３６】
このような構成によっても、外部からの振動に対する表示デバイス１の変位ベクトルと画素シフト素子２の変位ベクトルとがほぼ同じとなり、略同一の振動周波数で変位することになって、画素シフトによる高精細な画像表示を、画質の劣化を伴うことなく行うことができる。
【００３７】
そして、図５に示す第２の構成例の変形例のモジュールは、図４に示した構成に、投影レンズ７を加えたものとなっている。すなわち、このモジュールは、図４に示した構成における複屈折板６に対して、さらに、投影レンズ７を接着剤３を介して接着することにより、表示デバイス１、画素シフト素子２、投影レンズ７が振動に対して一体的となるように構成したものである。こうして、投影レンズ７の一体化を図ることにより、より高い精度で、画素シフトによる高精細な画像表示を画質の劣化を伴うことなく行うことができる。
【００３８】
なお、ここでは、表示デバイス１の例として、透過型ＬＣＤと反射型ＬＣＯＳとを例に挙げたが、これらに限るものではなく、その他の種々の表示デバイスを適用することができる。例えば、ＤＭＤ（Digital Micromirror Device）などの表示デバイスであっても、上述したような構成を容易に適用することができる。
【００３９】
また、液晶セル５としては、ＴＮ液晶、強誘電性液晶などの液晶を用いることができる。一方、複屈折板６としては、水晶、ニオブ酸リチウム、ルチル、方解石、チリ硝石、などの異方性結晶を用いることができる。あるいは、上述した特開２００３−２７９９２４号公報に記載されたような偏向手段を用いて構成するようにしても構わない。
【００４０】
次に、図６はモジュール筐体を用いたモジュールの基本構成例を示す図、図７はモジュール筐体を用いたモジュールの第１の構成例を示す図、図８はモジュール筐体を用いたモジュールの第２の構成例を示す図である。
【００４１】
基本構成例は、図６に示すように、表示デバイス１と画素シフト素子２とを、振動に対して一体的となるようにモジュール筐体１１に保持して、モジュール化するようにしたものである。
【００４２】
このような構成によっても、外部からの振動に対する表示デバイス１の変位ベクトルと画素シフト素子２の変位ベクトルとがほぼ同じとなり、略同一の振動周波数で変位する。こうして、表示デバイス１と画素シフト素子２との相対的な位置はほぼ一定に保たれるために、画素シフトによる高精細な画像表示を、画質の劣化を伴うことなく行うことができる。
【００４３】
図７は、モジュール筐体を用いたモジュールの第１の構成例を示している。
【００４４】
図７に示すモジュール筐体１１Ａは、例えば略直方体の箱状をなし、内部に表示デバイス１と画素シフト素子２とを振動に対して一体的となるように保持している。また、モジュール筐体１１Ａの表示デバイス１へ向かう光路上には矩形状の開口１１Ａａが、モジュール筐体１１Ａの画素シフト素子２から出射される光の光路上には矩形状の開口１１Ａｂが、それぞれ形成されている。
【００４５】
次に、図８は、モジュール筐体を用いたモジュールの第２の構成例を示している。
【００４６】
図８に示すモジュールは、図７に示したモジュールに、さらに投影レンズ７も一体的に組み込むようにしたものとなっている。
【００４７】
すなわち、モジュール筐体１１Ｂは、表示デバイス１と、画素シフト素子２と、投影レンズ７と、を振動に対して一体的となるように保持している。
【００４８】
なお、投影レンズ７は、フォーカスなどの調整を予め行った上で、モジュール筐体１１Ｂに組み付けられるようになっている。また、図７に示した開口１１Ａａは、この図８においては開口１１Ｂａとなっている。
【００４９】
続いて、図９は、図７に示したようなモジュール筐体のより具体的な第１の構成例を示す図である。
【００５０】
この第１の構成例のモジュール筐体１１Ａ１は、矩形状の底板１２の４つの角部から、２組合計４本の柱部１３ａ，１３ｂおよび柱部１４ａ，１４ｂを立設している。一方の組の柱部１３ａ，１３ｂは、上端からスリット状の切欠部１７ａ，１７ｂを有する腕部１５ａ，１５ｂを互いに対向するように突設している。同様に、他方の組の柱部１４ａ，１４ｂは、上端からスリット状の切欠部１８ａ，１８ｂを有する腕部１６ａ，１６ｂを互いに対向するように突設している。
【００５１】
そして、例えば矩形の板状をなす表示デバイス１が、スリット状の切欠部１７ａ，１７ｂを介してモジュール筐体１１Ａ１に装着され保持されるようになっている。また、この図９に示す例では、画素シフト素子２は、液晶セル５と複屈折板６とを接着剤３を介して接着して、例えば矩形の板状をなすように構成されている。この画素シフト素子２が、スリット状の切欠部１８ａ，１８ｂを介してモジュール筐体１１Ａ１に装着され保持されるようになっている。
【００５２】
また、腕部１５ａと腕部１５ｂとの間隙は、指や治具等で表示デバイス１をモジュール筐体１１Ａ１に装着する際に、該指や治具の移動を妨げることのないように設けられたものである。同様に、腕部１６ａと腕部１６ｂとの間隙は、指や治具等で画素シフト素子２をモジュール筐体１１Ａ１に装着する際に、該指や治具の移動を妨げることのないように設けられたものである。
【００５３】
ところで、モジュール筐体は、外的（ここに、「外的」とは、モジュール筐体に対する外側からの、という意味であり、表示装置の内部であっても構わない。）な振動を受けたときに、画素シフト素子２により１回の画素シフトを行う期間である画素シフト期間内に表示デバイス１に発生する変位の経路長が、表示デバイス１の画素ピッチ以下となることが望ましい。これは例えば、以下の（１）に示すような特性を備えることにより達成される。また、これに加えて、以下の（２）に示すような特性を備えることがより望ましい。  
（１）  外的な振動を受けたときにモジュール筐体に発生する変位の経路長が、画素ピッチ以下となるように定められた所定値以下になること。  
（２）  外的な振動を受けたときのモジュール筐体の振動周波数が、画素シフト周波数よりも小さくなること。
【００５４】
このような要件を満たすように、図９に示すモジュール筐体１１Ａ１を改良して得られたものが図１０に示すモジュール筐体１１Ａ２である。すなわち、図１０は、図７に示したようなモジュール筐体のより具体的な第２の構成例を示す図である。
【００５５】
この第２の構成例のモジュール筐体１１Ａ２は、矩形状の底板１２の４つの角部から、２組合計４本の柱部１３ａ，１３ｂおよび柱部１４ａ，１４ｂを立設している。そして、これら４本の柱部１３ａ，１３ｂ，１４ａ，１４ｂの上端側を連結するように、天板２１が一体に設けられている。また、天板２１における柱部１３ａ，１３ｂの間の部分にはスリット２２ａおよび切欠２３ａが設けられている。同様に、天板２１における柱部１４ａ，１４ｂの間の部分には、スリット２２ｂおよび切欠２３ｂが設けられている。
【００５６】
そして、スリット２２ａには表示デバイス１が、スリット２２ｂには画素シフト素子２（この図１０に示す例においても、画素シフト素子２は、液晶セル５と複屈折板６とを接着剤３を介して接着して構成されている。）が、それぞれ装着され保持されるようになっている。
【００５７】
また、切欠２３ａは、指や治具等で表示デバイス１をスリット２２ａに装着する際に、該指や治具の移動を妨げることのないように設けられたものである。同様に、切欠２３ｂは、指や治具等で画素シフト素子２をスリット２２ｂに装着する際に、該指や治具の移動を妨げることのないように設けられたものである。
【００５８】
なお、モジュール筐体を実際に設計する際には、コンピュータ等を用いてシュミレーションを行い、上述した特性（１）および特性（２）を備えるように設計することになる。このときには、図１０に示したように、図９に示した構成に比して構造上の剛性を高める設計変更を行ったり、モジュール筐体を構成する素材の組成を変更したり、各種の手法を組み合わせることになる。
【００５９】
次に、図１１は、図７に示したようなタイプのモジュールを用いた表示装置の構成例を示す図である。
【００６０】
この表示装置は、照明部３１と、カラーホイール３２と、Ｐ／Ｓコンバータ３３と、モジュールと、投影レンズ７と、スクリーン３５と、を光路上に順に配置して構成されていて、透過型単板面順次の表示装置となっている。ここに、モジュールは、透過型ＬＣＤ４と、第１液晶セル５ａと、第１複屈折板６ａと、第２液晶セル５ｂと、第２複屈折板６ｂと、をモジュール筐体１１Ａ内に保持して構成されている。また、透過型ＬＣＤ４および第１液晶セル５ａ，第２液晶セル５ｂは、映像信号を受ける画像処理部３４により同期して制御されるようになっている。さらに、照明部３１は、冷却部３６により冷却されるようになっている。
【００６１】
これらの内の照明部３１およびカラーホイール３２は、面順次射出光源手段を構成している。照明部３１は、ＵＨＰランプやキセノンランプなどの白色光源と、この白色光源からの光を集光するための反射傘と、図示は省略しているが、フライアイレンズなどを使用したインテグレータ照明光学系および効率良くカラーホイール３２へ光を射出するためのレンズなどの光学系と、を有して構成されている。
【００６２】
また、カラーホイール３２は、白色光をＲＧＢの面順次３原色光に変換するためのものであり、円板上にＲＧＢカラーフィルタを回転方向に沿って１組または複数組配設したものである。このカラーホイール３２は、例えばモータ等の駆動源により所定の周期で回動されるようになっている。
【００６３】
次に、Ｐ／Ｓコンバータ３３は、カラーホイール３２から射出される光の偏光方向を揃えて透過型ＬＣＤ４へ向けて出射する偏光変換手段である。
【００６４】
透過型ＬＣＤ４は、画像処理部３４から出力される面順次データを書き込むことにより面順次の表示を行う表示手段である。なお、ここでは、透過型ＬＣＤ４として、一括書き込み型のものを用いているものとする。また、この透過型ＬＣＤ４は、その表面に、図示はしないが、偏光板が貼設されて構成されている。
【００６５】
画素シフト素子２は、この図１１に示す構成例においては、第１液晶セル５ａおよび第１複屈折板６ａでなる第１の組と、第２液晶セル５ｂおよび第２複屈折板６ｂでなる第２の組と、の２組を有して構成されており、いわゆる４点画素ずらしを行うことができるものとなっている（なお、２点画素ずらしを行う構成例のときには、これらの内の１組があれば足りる。）。そして、透過型ＬＣＤ４からの光は、この画素シフト素子２により、サブフィールド毎に４点の画素ずらしが行われて、投影レンズ７へ向けて射出される。
【００６６】
投影レンズ７は、画素シフト素子２から出射される光を、スクリーン３５へ投影するための投影光学系である。
【００６７】
スクリーン３５は、投影レンズ７から投影された画像を、観察可能に表示するものである。
【００６８】
画像処理部３４は、映像信号を受けて、透過型ＬＣＤ４と第１液晶セル５ａおよび第２液晶セル５ｂとを制御するものであり、その詳細については後で図１３を参照して説明する。この画像処理部３４は、さらに、画素シフト素子２による画素シフトを実行するか停止するかを制御するための制御手段を兼ねたものとなっている。
【００６９】
冷却部３６は、熱源となる照明部３１を冷却するためのものであり、例えば空冷方式を採用している場合には、冷却用のファン等を備えて構成されている。
【００７０】
また、図１２は、図８に示したようなタイプのモジュールを用いた表示装置の構成例を示す図である。
【００７１】
この図１２に示す表示装置の基本的な構成要素は、図１１に示したものと同様であるが、モジュールが、透過型ＬＣＤ４と、第１液晶セル５ａと、第１複屈折板６ａと、第２液晶セル５ｂと、第２複屈折板６ｂと、投影レンズ７と、をモジュール筐体１１Ｂに保持して構成されている点が異なっている。
【００７２】
次に、図１３は、画像処理部の構成を示すブロック図である。
【００７３】
この画像処理部３４は、入力インタフェース（入力Ｉ／Ｆ）４１と、記憶部４２と、サブフィールド分割部４５と、面順次変換部４６と、液晶セル制御部４７と、を有して構成されている。また、記憶部４２は、メモリ４３と、メモリコントローラ４４と、を有して構成されている。
【００７４】
入力インタフェース４１は、映像信号を受信して、クロックや同期信号およびデータなどを抽出するものである。
【００７５】
記憶部４２のメモリ４３は、入力インタフェース４１から出力される各信号を記憶するものである。
【００７６】
記憶部４２のメモリコントローラ４４は、メモリ４３への書込みおよび読み出しを制御するものである。
【００７７】
サブフィールド分割部４５は、メモリ４３から読み出された入力フレームデータを、サブフィールドに分割するものである。なお、ここではサブフィールド分割部４５によりサブフィールドに分割するようにしているが、サブフィールド分割部４５を設けることなく、メモリコントローラ４４によりメモリ４３の読み出し（リード）をコントロールして、サブフィールドを生成するようにしても構わない。
【００７８】
面順次変換部４６は、サブフィールドをさらに各色のデータに分割するものである。この面順次変換部４６により分割された各色のデータは、図示しない透過型ＬＣＤコントローラ（この透過型ＬＣＤコントローラでは、駆動に必要なパルスおよび書き込みタイミングに合わせて画像データ転送などを行っている。）を経由して、表示デバイス１である透過型ＬＣＤ４へ送信される。
【００７９】
なお、この画像処理部３４内には、図示は省略しているが、カラーホイール３２を駆動し同期させる処理部が設けられている。そして、この処理部は、面順次変換部４６によって、各色とカラーホイール３２との同期をとるように駆動されている。
【００８０】
液晶セル制御部４７は、第１液晶セル５ａと第２液晶セル５ｂとを駆動するパルスを生成するのに必要な信号を面順次変換部４６から取得して、駆動パルスを生成し出力するものである。なお、液晶セル制御部４７は、ここでは面順次変換部４６から必要な信号を取得しているが、これに限るものではない。
【００８１】
次に、図１４は、サブフィールド分割部４５によりフレームをサブフィールドに分割する例を示す図である。
【００８２】
画像処理部３４に入力される映像信号は、図１４（Ａ）に示すような、１フレームが３８４０×２１６０画素（総画素数は、約８００万画素となる。）で構成される映像信号であるものとする。また、透過型ＬＣＤ４は、有効表示領域が１９２０×１０８０画素（総画素数は、約２００万画素となる。）（図１４（Ｃ）〜図１４（Ｆ）参照）であり、フィールドシーケンシャルレートが７２０Ｈｚ（図１５参照）であるものとする。このようなケースの動作について、以下に説明する。
【００８３】
なお、ここでは、画像処理部３４に入力される映像信号が、３８４０×２１６０画素の映像信号である場合を例に挙げたが、これ以外の画素構成の映像信号であっても、以下の説明をほぼ同様に適用することが可能であり、以下の説明は映像信号の画素構成に限定されるものではない。
【００８４】
入力インタフェース４１に上述したような３８４０×２１６０画素の映像信号が入力されると、この映像信号はメモリ４３に書き込まれる（図１４（Ａ）参照）。
【００８５】
メモリ４３の映像信号は、サブフィールド分割部４５により読み出されて、図１４（Ｃ）に示すようなサブフィールドＡと、図１４（Ｄ）に示すようなサブフィールドＢと、図１４（Ｅ）に示すようなサブフィールドＣと、図１４（Ｆ）に示すようなサブフィールドＤと、の４つに分割される。
【００８６】
ここに、図１４（Ｂ）に示すように、サブフィールドＡは１フレームの映像信号における例えば奇数ラインの奇数番目の画素群により構成され、サブフィールドＢは１フレームの映像信号における例えば奇数ラインの偶数番目の画素群により構成され、サブフィールドＣは１フレームの映像信号における例えば偶数ラインの奇数番目の画素群により構成され、サブフィールドＤは１フレームの映像信号における例えば偶数ラインの偶数番目の画素群により構成される。
【００８７】
このようにしてサブフィールド分割部４５により生成されたサブフィールドは、面順次変換部４６へ送信されて、この面順次変換部４６により各色毎のデータに分割され、透過型ＬＣＤへ送信される。
【００８８】
次に、図１５〜図１９を参照して、４点画素ずらしにおける画素シフトの処理について説明する。図１５は４点画素ずらしにおける画素シフトを示すタイミングチャート、図１６はサブフィールドＡを表示するときの画素シフト素子２の様子を示す図、図１７はサブフィールドＢを表示するときの画素シフト素子２の様子を示す図、図１８はサブフィールドＣを表示するときの画素シフト素子２の様子を示す図、図１９はサブフィールドＤを表示するときの画素シフト素子２の様子を示す図である。
【００８９】
図１５に示すように、入力映像信号における１フレームの周波数は６０Ｈｚ、この１フレームを４つに分割したサブフィールドの周波数は２４０Ｈｚ、このサブフィールドを３つに分割したＲＧＢ各色毎の周波数は７２０Ｈｚである。そして、サブフィールドＡ、サブフィールドＢ、サブフィールドＣ、サブフィールドＤの順に表示を行う場合には、第１液晶セル５ａと第２液晶セル５ｂとを、次に示すように順次駆動するようになっている。
【００９０】
まず、サブフィールドＡの表示を行うときには、第１液晶セル５ａをオフ、第２液晶セル５ｂをオフとする。ここに、オンは液晶セルに電圧を印加することを意味し、オフは液晶セルに電圧を印加しないことを意味している。これらの液晶セル５ａ，５ｂは、オフのときに偏光方向を９０°旋回させ、オンのときには偏光方向を変化させないように構成されている。従って、このときには、図１６（Ａ）に示すように、透過型ＬＣＤ４からの偏光光は、第１液晶セル５ａにより９０°旋回され、第１複屈折板６ａをそのまま通過する。その後、この偏光光は、第２液晶セル５ｂによりさらに９０°旋回され、第２複屈折板６ｂもそのまま通過する。従って、図１６（Ｂ）に示すような画素ずらし前の各画素は、図１６（Ｃ）に示すように画素ずらしされることなくそのまま射出される。なお、透過型ＬＣＤ４上に配列されている画素の、水平方向のピッチをＰｘ、垂直方向のピッチをＰｙとする。
【００９１】
また、図１６〜図１９に示す構成において、第１液晶セル５ａと第１複屈折板６ａとでなる第１の組は、水平方向の画素シフトを行う水平画素シフト素子２ｈを構成し、第２液晶セル５ｂと第２複屈折板６ｂとでなる第２の組は、垂直方向の画素シフトを行う垂直画素シフト素子２ｖを構成している。
【００９２】
次に、サブフィールドＢの表示を行うときには、第１液晶セル５ａをオン、第２液晶セル５ｂをオンとする。このときには、図１７（Ａ）に示すように、透過型ＬＣＤ４からの偏光光は、第１液晶セル５ａにより偏光方向を変化させられることなく通過し、第１複屈折板６ａにより水平方向へシフトされる。その後、この偏光光は、第２液晶セル５ｂにより偏光方向を変化させられることなく通過し、第２複屈折板６ｂをそのまま通過する。従って、図１７（Ｂ）に示すような画素ずらし前の各画素は、図１７（Ｃ）に示すように水平方向にＰｘ／２だけ画素ずらしされてから射出される。なお、水平方向への画素ずらし量は、複屈折板６ａの光軸方向の厚さにより調整することができるようになっている。
【００９３】
続いて、サブフィールドＣの表示を行うときには、第１液晶セル５ａをオフ、第２液晶セル５ｂをオンとする。このときには、図１８（Ａ）に示すように、透過型ＬＣＤ４からの偏光光は、第１液晶セル５ａにより９０°旋回され、第１複屈折板６ａをそのまま通過する。その後、この偏光光は、第２液晶セル５ｂにより偏光方向を変化させられることなく通過し、第２複屈折板６ｂにより垂直方向へシフトされる。従って、図１８（Ｂ）に示すような画素ずらし前の各画素は、図１８（Ｃ）に示すように垂直方向にＰｙ／２だけ画素ずらしされてから射出される。なお、垂直方向への画素ずらし量は、複屈折板６ｂの光軸方向の厚さにより調整することができるようになっている。
【００９４】
そして、サブフィールドＤの表示を行うときには、第１液晶セル５ａをオン、第２液晶セル５ｂをオフとする。このときには、図１９（Ａ）に示すように、透過型ＬＣＤ４からの偏光光は、第１液晶セル５ａにより偏光方向を変化させられることなく通過し、第１複屈折板６ａにより水平方向へシフトされる。その後、この偏光光は、第２液晶セル５ｂにより９０°旋回され、第２複屈折板６ｂにより垂直方向へシフトされる。従って、図１９（Ｂ）に示すような画素ずらし前の各画素は、図１９（Ｃ）に示すように水平方向にＰｘ／２および垂直方向にＰｙ／２だけ画素ずらしされてから射出される。
【００９５】
なお、ここでは画素シフトピッチを画素ピッチの１／２としているが、必ずしもこれに限定されるものではない。
【００９６】
また、ここでは、液晶セルと複屈折板とを用いて画素シフトを行う例について説明したが、上述したように、例えば特開２００３−２７９９２４号公報に記載された偏光手段などを用いても構わない。
【００９７】
次に、図２０は、装置筐体を備えた表示装置の構成例を示す図である。この図２０を参照して、装置筐体に対するモジュール筐体や振動源の取り付け状態について説明する。
【００９８】
この表示装置は、図１２に示したような構成要素を備えると共に、さらに、スクリーン３５以外の各構成要素を保持するための装置筐体３７を備えている。
【００９９】
そして、モジュール筐体１１Ｂは、ワッシャやゴムパッキン等でなる防振部材３８を介して、装置筐体３７に取り付けられている。
【０１００】
また、カラーホイール３２は、モジュール筐体１１Ｂとは別体であって、上述したようにモータ等により回動される構成であるために、振動源となり得る。そこで、このカラーホイール３２は、モジュール筐体１１Ｂが装置筐体３７に取り付けられた位置とは独立した位置において、装置筐体３７に対してワッシャやゴムパッキン等でなる防振部材３８を介して取り付けられている。
【０１０１】
同様に、冷却部３６は、モジュール筐体１１Ｂとは別体であって、上述したように例えば冷却用ファンを回動するためのモータ等を備えた構成であるために、振動源となり得る。そこで、この冷却部３６も、モジュール筐体１１Ｂが装置筐体３７に取り付けられた位置、およびカラーホイール３２が装置筐体３７に取り付けられた位置とは独立した位置において、装置筐体３７に対してワッシャやゴムパッキン等でなる防振部材３８を介して取り付けられている。
【０１０２】
ここで、図２１は、防振部材３８により達成し得る防振効果を説明するための線図である。
【０１０３】
防振設計理論の詳細な説明は省略するが、防振するための設計手順は、おおよそ以下のようになっている。
【０１０４】
振動伝達率Ｔは、防振部材３８を使用しないときにモジュール筐体１１Ｂに伝達される力Ｆ0 と、防振部材３８を使用したときにモジュール筐体１１Ｂに伝達される力Ｆt と、の比により表される。この振動伝達率Ｔは、機械運動方程式を解くことにより導かれ、導かれた振動伝達率Ｔは、減衰項を含んでいる。
【０１０５】
一般に、防振ゴム等で構成される防振部材３８は高い減衰効果を有するために、不減衰項を０とすることができ、以下の数式１に示すようになる。  
【数１】
2007248894.tif 000003
【０１０６】
ここに、ｆは防振すべき振動数（周波数）、ｆn は防振部材３８により支持されているモジュール筐体１１Ｂの固有振動数（固有周波数）である。
【０１０７】
この数式１をグラフ化した図２１に示すように、ｆ／ｆn が√２（２の平方根を「√２」として表す。）よりも大きくなった場合に、防振効果を得ることができる（つまり、振動伝達率Ｔが１未満となる）防振効果領域となる。
【０１０８】
なお、防振部材３８により支持されるモジュール筐体１１Ｂには、剛体が有する６つの自由度に対する６つの固有振動数が存在するが、これらの内のＺ軸方向（図２０における、防振部材３８を介して装置筐体３７とモジュール筐体１１Ｂとを結ぶ方向）の固有振動数のみを考慮して設計しても、防振効果を得る上で十分に効果的である場合が多いことが知られている。ここで、Ｚ軸方向の固有振動数をｆnzとすると、この固有振動数ｆnzは、以下の数式２に示すように与えられる。  
【数２】
2007248894.tif 000004
【０１０９】
ここに、ｍは防振部材により支持するモジュールの質量（ｋｇを単位とする）、Ｋｄは防振部材３８のＺ軸方向のばね定数である。
【０１１０】
従って、次の数式３を満たすようにモジュールの質量ｍと、防振部材３８のＺ軸方向のばね定数Ｋｄと、を設計することにより、画素シフト周波数よりも大きい周波数領域の振動を効果的に減衰させることができる。  
【数３】
2007248894.tif 000005
【０１１１】
ここに、ｆw は、画素シフト周波数である。
【０１１２】
この数式３から、具体的な設計においては、例えばモジュールの質量ｍを大きくする、あるいは、防振部材３８のＺ軸方向のばね定数Ｋｄを小さくする、もしくはこれら両方を同時に行うなどの設計を行えば良いことが分かる。
【０１１３】
図１５にも示したように、本実施形態においては、画素シフト期間１／２４０秒に対応するサブフィールド周波数が２４０Ｈｚ、４回の画素シフトを行うことにより透過型ＬＣＤ４からの光線を時系列的に巡回させる画素シフト周波数（図１５に示す例ではフレーム周波数と同じ）が６０Ｈｚである。従って、モジュール筐体１１Ｂは、カラーホイール３２や冷却部３６などの外的な振動源からの振動を受けたときの振動周波数が６０Ｈｚよりも小さくなるように（つまり、６０Ｈｚ以上の振動をカットするように）（上述した特性（２）を満たすように）、重量や剛性、素材等を考慮して設計された筐体となっている。このように、モジュール筐体１１Ｂの振動周波数を画素シフト周波数（６０Ｈｚ）よりも小さくすることにより、画素シフト期間（１／２４０秒）における表示デバイス１の移動量を、振動の振幅よりも小さくすることが可能となる。
【０１１４】
次に、図２２は、反射型ＬＣＯＳを使用するモジュールを用いた反射型単板面順次の表示装置の構成例を示す図、図２３は画素シフト前後の画素位置の様子を示す図である。
【０１１５】
モジュール筐体１１Ｂは、偏光ビームスプリッタ（ＰＢＳ）９と、反射型ＬＣＯＳ８と、第１液晶セル５ａと、第１複屈折板６ａと、第２液晶セル５ｂと、第２複屈折板６ｂと、投影レンズ７と、を振動に対して一体的となるように保持している。これらの各光学要素の配置は、図５に示したものとほぼ同様である。
【０１１６】
偏光ビームスプリッタ（ＰＢＳ）９には、照明部３１からの照明光が、カラーホイール３２およびＰ／Ｓコンバータ３３を介して、一偏光方向の光として入射されるようになっている。また、偏光ビームスプリッタ（ＰＢＳ）９は、反射型ＬＣＯＳ８からの他偏光方向の光を第１液晶セル５ａ側へ向けて反射する。その後に光が画素ずらしされてスクリーン３５に到達されるのは、図１２や図２０などに示した構成と同様である。
【０１１７】
そして、この図２２に示した構成においては、画像処理部３４は、反射型ＬＣＯＳ８と、第１液晶セル５ａと、第２液晶セル５ｂとを、上述した透過型ＬＣＤ４の場合と同様の所定のタイミングで制御するようになっている。
【０１１８】
反射型ＬＣＯＳ８は、例えば、１９２０×１０８０画素で構成される表示デバイス１であって、上下方向および左右方向の画素ピッチが図２３（Ａ）に示すように１０μｍとなっているものとする。
【０１１９】
このような反射型ＬＣＯＳ８からの光を、上述したような画素シフト素子２により１／２の画素ピッチで画素シフトしたとすると、画素シフトピッチは図２３（Ｂ）に示すように５μｍとなる。なお、図２３（Ｂ）における斜線部分の画素は、画素シフトにより生成された画素である。また、図２３（Ｂ）に示す画素シフト後の図においては、説明の都合上、図２３（Ａ）に示したようなブラックマトリクスの図示を省略している。
【０１２０】
このような表示デバイス１の構成では、反射型ＬＣＯＳ８上において、振動に起因して画素シフト期間内に例えば画素ピッチ分（１０μｍ）の画素ずれが発生すると、画素シフトにより表示しようとしている画像の高精細さが劣化してしまうことが分かる。
【０１２１】
このために、この図２２に示すような構成例においても、表示デバイス１（反射型ＬＣＯＳ８）と画素シフト素子２（液晶セル５ａ，５ｂおよび複屈折板６ａ，６ｂ）と投影レンズ７とをモジュール筐体１１Ｂによりモジュール化する際に、振動源からの振動を受けたときの画素シフト期間内の振幅が１０μｍ（画素ピッチ）よりも小さくなるように、モジュール筐体を設計している。これにより、画素シフトによる高精細な画像表示を、画質の劣化を実質的に伴わずに行うことが可能となる。
【０１２２】
次に、図２４は、反射型ＬＣＯＳを使用するモジュールを用いた反射型単板面順次の表示装置の他の構成例を示す図である。
【０１２３】
この図２４に示す表示装置は、図２２に示した表示装置に、さらに、モジュール筐体１１Ｂを含むモジュールの振動を検出するための振動検知手段たる振動センサ３９を追加したものとなっている。この振動センサ３９による検出結果は、画像処理部３４へ出力されるようになっている。
【０１２４】
そして、振動センサ３９によって、画素シフト期間内における変位の経路長が所定値（設計時に設定された所定値）以上であるような振動を受けたことが検出されたものとする。ここに、所定値は、この所定値以上の振動を受けると、画素シフトを行った場合に映像がかえって劣化してしまうような閾値として設定された値である。
【０１２５】
この場合には、画像処理部３４は、画素シフト素子２（液晶セル５ａ，５ｂ）の駆動を停止させるように制御するようになっている。これにより、画素シフトを行うとかえって映像が劣化してしまうような場合に、画素シフトを行わないようにして、映像の劣化を低減させることが可能となる。表示装置は、例えば自動車内や飛行機内で使用されるなど、様々な環境で使用されることが考えられ、想定外の外的振動が加わる可能性がある。これに対して、このように構成することで、様々な環境で表示装置を安定して使用することが可能となる利点がある。
【０１２６】
なお、上述では、単板の表示装置を例に挙げて説明したが、もちろんこれに限るものではなく、２板の表示装置や３板の表示装置にも適用することが可能である。
【０１２７】
また、上述では、投影レンズ７を用いてスクリーン３５に映像を投影するタイプの表示装置について説明したが、表示装置としてはこのようなタイプのものに限るものではない。表示装置としては、例えば、プロジェクタ、ＦＭＤ（フェイスマウントディスプレイ）、ＨＭＤ（ヘッドマウントディスプレイ）、電子ビューアなどの、各種の表示装置に広く適用することができる。
【０１２８】
さらに、上述では、表示デバイス１と画素シフト素子２、あるいはさらに投影レンズ７を、接着剤または筐体を用いることにより、振動に対して一体的となるように構成しているが、これらを組み合わせることにより（例えば、表示デバイス１と画素シフト素子２とは接着するが、この接着されたものと投影レンズ７とは筐体を用いて一体化するなど）、あるいは、これら以外の手段を用いることにより、振動に対して一体的となるように構成しても構わない。
【０１２９】
このような実施形態１によれば、表示デバイス１と画素シフト素子２とを、振動に対して一体的となるように構成したために、表示デバイス１により表示された映像を、位置ずれを生じさせることなく、画素シフト素子２によりシフトすることが可能となる。
【０１３０】
これら表示デバイス１と画素シフト素子２とに加えて、投影レンズ７もさらに振動に対して一体的となるようにした場合には、画素シフトされた映像を、より正確に投影することが可能となる。
【０１３１】
そして、接着剤を用いて振動に対して一体的となるように構成した場合には、製造を容易かつ低コストに行うことができると共に、モジュールのサイズを小さくすることができる。
【０１３２】
一方、モジュール筐体を用いて振動に対して一体的となるように構成した場合には、モジュール筐体の形状や大きさ、重さ、素材などを設計する自由度が生じるために、外的な振動源からの振動を効果的に抑制するように構成することが可能となる。すなわち、画素シフト周波数よりも振動周波数が小さくなるように構成したり、画素シフト期間における変位の経路長が画素ピッチよりも小さくなるように構成したりすることが可能となり、より高精度に振動による画質の劣化を防止することが可能となる。
【０１３３】
そして、モジュール筐体と振動源とを別体とし、それぞれが独立した位置で装置筐体に保持されるようにしたために、振動源からの振動がモジュール筐体に及ぼす影響を低減することが可能となる。このとき、モジュール筐体と装置筐体とを防振部材を介して接続すると共に、振動源の装置筐体とを防振部材を介して接続するようにしたために、振動源からの振動がモジュール筐体に及ぼす影響を、より一層低減することが可能となる。
【０１３４】
加えて、振動センサを設けて、所定値以上の振動がモジュールに加わった場合には、画素シフト素子２の駆動を停止するようにしたために、想定外の振動による画質の劣化を防止することが可能となる。
【０１３５】
なお、本発明は上述した実施形態に限定されるものではなく、発明の主旨を逸脱しない範囲内において種々の変形や応用が可能であることは勿論である。
【産業上の利用可能性】
【０１３６】
本発明は、表示デバイスと画素シフト素子とを備えるモジュール、表示装置に好適に利用することができる。
【図面の簡単な説明】
【０１３７】
【図１】本発明の実施形態１における、接着剤を用いたモジュールの基本構成例を示す図。
【図２】上記実施形態１における、接着剤を用いたモジュールの第１の構成例を示す図。
【図３】上記実施形態１における、接着剤を用いたモジュールの第１の構成例の変形例を示す図。
【図４】上記実施形態１における、接着剤を用いたモジュールの第２の構成例を示す図。
【図５】上記実施形態１における、接着剤を用いたモジュールの第２の構成例の変形例を示す図。
【図６】上記実施形態１における、モジュール筐体を用いたモジュールの基本構成例を示す図。
【図７】上記実施形態１における、モジュール筐体を用いたモジュールの第１の構成例を示す図。
【図８】上記実施形態１における、モジュール筐体を用いたモジュールの第２の構成例を示す図。
【図９】上記図７に示したようなモジュール筐体のより具体的な第１の構成例を示す図。
【図１０】上記図７に示したようなモジュール筐体のより具体的な第２の構成例を示す図。
【図１１】上記図７に示したようなタイプのモジュールを用いた表示装置の構成例を示す図。
【図１２】上記図８に示したようなタイプのモジュールを用いた表示装置の構成例を示す図。
【図１３】上記実施形態１における画像処理部の構成を示すブロック図。
【図１４】上記実施形態１において、サブフィールド分割部によりフレームをサブフィールドに分割する例を示す図。
【図１５】上記実施形態１において、４点画素ずらしにおける画素シフトを示すタイミングチャート。
【図１６】上記実施形態１において、サブフィールドＡを表示するときの画素シフト素子の様子を示す図。
【図１７】上記実施形態１において、サブフィールドＢを表示するときの画素シフト素子の様子を示す図。
【図１８】上記実施形態１において、サブフィールドＣを表示するときの画素シフト素子の様子を示す図。
【図１９】上記実施形態１において、サブフィールドＤを表示するときの画素シフト素子の様子を示す図。
【図２０】上記実施形態１において、装置筐体を備えた表示装置の構成例を示す図。
【図２１】上記実施形態１において、防振部材により達成し得る防振効果を説明するための線図。
【図２２】上記実施形態１において、反射型ＬＣＯＳを使用するモジュールを用いた反射型単板面順次の表示装置の構成例を示す図。
【図２３】上記実施形態１において、画素シフト前後の画素位置の様子を示す図。
【図２４】上記実施形態１において、反射型ＬＣＯＳを使用するモジュールを用いた反射型単板面順次の表示装置の他の構成例を示す図。
【符号の説明】
【０１３８】
１…表示デバイス
２…画素シフト素子
２ｈ…水平画素シフト素子
２ｖ…垂直画素シフト素子
３…接着剤
４…透過型ＬＣＤ
５，５ａ，５ｂ…液晶セル
６，６ａ，６ｂ…複屈折板
７…投影レンズ
８…反射型ＬＣＯＳ
９…偏光ビームスプリッタ（ＰＢＳ）
１１，１１Ａ，１１Ａ１，１１Ａ２，１１Ｂ…モジュール筐体
１１Ａａ，１１Ａｂ，１１Ｂａ…開口
１２…底板
１３ａ，１３ｂ，１４ａ，１４ｂ…柱部
１５ａ，１５ｂ，１６ａ，１６ｂ…腕部
１７ａ，１７ｂ，１８ａ，１８ｂ…切欠部
２１…天板
２２ａ，２２ｂ…スリット
２３ａ，２３ｂ…切欠
３１…照明部
３２…カラーホイール（振動源）
３３…Ｐ／Ｓコンバータ
３４…画像処理部（制御手段）
３５…スクリーン
３６…冷却部（振動源）
３７…装置筐体
３８…防振部材
３９…振動センサ（振動検知手段）
４１…入力インタフェース（入力Ｉ／Ｆ）
４２…記憶部
４３…メモリ
４４…メモリコントローラ
４５…サブフィールド分割部
４６…面順次変換部
４７…液晶セル制御部
【図１】
2007248894.tif 000006
【図２】
2007248894.tif 000007
【図３】
2007248894.tif 000008
【図４】
2007248894.tif 000009
【図５】
2007248894.tif 000010
【図６】
2007248894.tif 000011
【図７】
2007248894.tif 000012
【図８】
2007248894.tif 000013
【図９】
2007248894.tif 000014
【図１０】
2007248894.tif 000015
【図１１】
2007248894.tif 000016
【図１２】
2007248894.tif 000017
【図１３】
2007248894.tif 000018
【図１４】
2007248894.tif 000019
【図１５】
2007248894.tif 000020
【図１６】
2007248894.tif 000021
【図１７】
2007248894.tif 000022
【図１８】
2007248894.tif 000023
【図１９】
2007248894.tif 000024
【図２０】
2007248894.tif 000025
【図２１】
2007248894.tif 000026
【図２２】
2007248894.tif 000027
【図２３】
2007248894.tif 000028
【図２４】
2007248894.tif 000029